【手続補正書】
【提出日】平成20年6月18日(2008.6.18)
【手続補正１】
【補正対象書類名】明細書
【補正対象項目名】特許請求の範囲
【補正方法】変更
【補正の内容】
【特許請求の範囲】
【請求項１】
合成された通貨組み合わせをトレーダ間で取引する匿名式取引システムにおいて、
複数の注文入力装置であって、そのうちの少なくとも１つの注文入力装置を用いてトレーダが２つまたはそれ以上の関連注文からなる共同実行注文の出合いを付けるための注文入力装置と、
注文出合エンジンからなるネットワークであって、各注文出合エンジンがシステム内に入力されるビッドおよびオファの注文の出合いを付け、ビッドおよびオファの注文の出合いが付いたとき、取引の実行を支援するためのネットワークと、
システム内のビッドおよびオファの注文に関する情報を、トレーダ端末に配信する市場配信手段と、
複数の取引代理人であって、各取引代理人がネットワークの１つの注文出合エンジンに接続され、取引フロアと、複数の注文入力装置と、取引代理人が接続するブローカとの間のインタフェースとして機能する取引代理人と、
第１通貨および第３通貨を含む通貨組み合わせに関する商取引のためにシステムに入力されたビッドおよびオファの注文と、第２通貨および第３通貨を含む通貨組み合わせに関する商取引のためにシステムに入力されたビッドおよびオファの注文とから、第１通貨および第２通貨を含む通貨組み合わせに関する商取引のためにシステムに入力されたビッドおよびオファの注文を合成する手段と、
注文出合エンジンおよびこれに接続された取引代理人において、共同実行注文の出合いを付け、実行するための手段であって、共同実行注文を構成するすべての関連注文を独立した取引として実行するか、あるいは共同実行注文を構成するすべての関連注文を中止する手段とを備え、
前記取引代理人は、合成された通貨組み合わせにおけるビッドまたはオファの注文を、第１通貨および第３通貨を含む通貨組み合わせと、第２通貨および第３通貨を含む通貨組み合わせのそれぞれにおける注文から構成される共同実行注文に変換する手段を有することを特徴とする匿名式取引システム。
【請求項２】
請求項１に記載の匿名式取引システムであって、
合成された通貨組み合わせにおけるビッドまたはオファの注文は、公開されない注文であることを特徴とする匿名式取引システム。
【請求項３】
請求項２に記載の匿名式取引システムであって、
合成された通貨組み合わせにおけるビッドまたはオファの注文は、永続性を有する注文であることを特徴とする匿名式取引システム。
【請求項４】
合成された通貨組み合わせをトレーダ間で取引する匿名式取引システムにおいて、
複数の注文入力装置であって、そのうちの少なくとも１つの注文入力装置を用いてトレーダが２つまたはそれ以上の関連注文からなる共同実行注文の出合いを付けるための注文入力装置と、
システム内に入力されるビッドおよびオファの注文の出合いを付け、ビッドおよびオファの注文の出合いが付いたとき、取引の実行を支援するための少なくとも１つの注文出合エンジンと、
システム内のビッドおよびオファの注文に関する情報を、トレーダ端末に配信する市場配信手段と、
第１通貨および第３通貨を含む通貨組み合わせに関する商取引のためにシステムに入力されたビッドおよびオファの注文と、第２通貨および第３通貨を含む通貨組み合わせに関する商取引のためにシステムに入力されたビッドおよびオファの注文とから、第１通貨および第２通貨を含む通貨組み合わせに関する商取引のためにシステムに入力されたビッドおよびオファの注文を合成する手段と、
注文出合エンジンおよびこれに接続された取引代理人において、共同実行注文の出合いを付け、実行するための手段であって、共同実行注文を構成するすべての関連注文を独立した取引として実行するか、あるいは共同実行注文を構成するすべての関連注文を中止する手段と、
合成された通貨組み合わせにおけるビッドまたはオファの注文を、第１通貨および第３通貨を含む通貨組み合わせと、第２通貨および第３通貨を含む通貨組み合わせのそれぞれにおける注文から構成される共同実行注文に変換する手段を有することを特徴とする匿名式取引システム。
【請求項５】
合成された通貨組み合わせをトレーダ間で取引するコンピュータシステムであって、
複数の注文入力装置であって、そのうちの少なくとも１つが２つまたはそれ以上の関連注文からなる共同実行注文をコンピュータシステム内に入力するための注文入力装置と、
第１通貨および第３通貨を含む通貨組み合わせに関する商取引のためにコンピュータシステムに入力されたビッドおよびオファの注文と、第２通貨および第３通貨を含む通貨組み合わせに関する商取引のためにコンピュータシステムに入力されたビッドおよびオファの注文とから、第１通貨および第２通貨を含む通貨組み合わせに関する商取引のためにコンピュータシステムに入力されたビッドおよびオファの注文を合成する手段と、
共同実行注文の出合いを付け、実行するための手段であって、共同実行注文を構成するすべての関連注文を独立した取引として実行するか、あるいは共同実行注文を構成するすべての関連注文を中止する手段とを備え、
コンピュータシステムは、合成された通貨組み合わせにおけるビッドまたはオファの注文を、第１通貨および第３通貨を含む通貨組み合わせと、第２通貨および第３通貨を含む通貨組み合わせのそれぞれにおける注文から構成される共同実行注文に変換する手段を有することを特徴とするコンピュータシステム。
【請求項６】
請求項５に記載のコンピュータシステムであって、
前記コンピュータシステムは、匿名式取引システムであることを特徴とするコンピュータシステム。
【請求項７】
請求項５に記載のコンピュータシステムであって、
合成された通貨組み合わせにおけるビッドまたはオファの注文は、公開されない注文であることを特徴とするコンピュータシステム。
【請求項８】
請求項７に記載のコンピュータシステムであって、
合成された通貨組み合わせにおけるビッドまたはオファの注文は、永続性を有する注文であることを特徴とするコンピュータシステム。
【請求項９】
請求項５に記載のコンピュータシステムであって、
コンピュータシステム内に入力されるビッドおよびオファの注文の出合いを付け、ビッドおよびオファの注文の出合いが付いたとき、取引の実行を支援するための少なくとも１つの注文出合エンジンをさらに有することを特徴とするコンピュータシステム。
【請求項１０】
請求項９に記載のコンピュータシステムであって、
コンピュータシステム内に入力されるビッドおよびオファの注文の出合いを付け、ビッドおよびオファの注文の出合いが付いたとき、取引の実行を支援するための少なくとも１つの注文出合エンジンを有する少なくとも１つのブローカを有することを特徴とするコンピュータシステム。
【請求項１１】
請求項９に記載のコンピュータシステムであって、
コンピュータシステム内のビッドおよびオファの注文に関する情報を、トレーダ端末に配信する市場配信手段をさらに有することを特徴とするコンピュータシステム。
【請求項１２】
請求項１１に記載のコンピュータシステムであって、
１つまたはそれ以上の注文入力装置および注文出合エンジンをそれぞれ有する取引フロア間のインタフェースをさらに有することを特徴とするコンピュータシステム。
【請求項１３】
請求項１１に記載のコンピュータシステムであって、
複数の取引代理人であって、各取引代理人が少なくとも１つの注文出合エンジンに接続され、取引フロアと、複数の注文入力装置と、取引代理人が接続する注文出合エンジンとの間のインタフェースとして機能する取引代理人をさらに有することを特徴とするコンピュータシステム。
【請求項１４】
請求項１３に記載のコンピュータシステムであって、
共同実行注文の出合いを付け、実行するための手段は、少なくとも１つの注文出合エンジンおよびこれに接続された取引代理人に配置されることを特徴とするコンピュータシステム。
【請求項１５】
請求項１１に記載のコンピュータシステムであって、
共同実行注文の出合いを付け、実行するための手段は、少なくとも１つの注文出合エンジンに配置されることを特徴とするコンピュータシステム。
【請求項１６】
請求項１５に記載のコンピュータシステムであって、
共同実行注文の出合いを付け、実行するための手段は、インタフェースに配置されることを特徴とするコンピュータシステム。
【請求項１７】
請求項９に記載のコンピュータシステムであって、
複数の注文出合エンジンがネットワーク内に配置されることを特徴とするコンピュータシステム。
【請求項１８】
請求項１０に記載のコンピュータシステムであって、
複数のブローカがネットワーク内に配置されることを特徴とするコンピュータシステム。
【請求項１９】
合成された通貨組み合わせをトレーダ間で取引するコンピュータシステムであって、
第１通貨および第３通貨を含む通貨組み合わせに関する商取引のためにコンピュータシステムに入力されたビッドおよびオファの注文と、第２通貨および第３通貨を含む通貨組み合わせに関する商取引のためにコンピュータシステムに入力されたビッドおよびオファの注文とから、第１通貨および第２通貨を含む通貨組み合わせに関する商取引のためにコンピュータシステムに入力されたビッドおよびオファの注文を合成する手段と、
共同実行注文の出合いを付け、実行するための手段であって、共同実行注文を構成するすべての関連注文を独立した取引として実行するか、あるいは共同実行注文を構成するすべての関連注文を中止する手段とを備え、
コンピュータシステムは、合成された通貨組み合わせにおけるビッドまたはオファの注文を、第１通貨および第３通貨を含む通貨組み合わせと、第２通貨および第３通貨を含む通貨組み合わせのそれぞれにおける注文から構成される共同実行注文に変換する手段を有することを特徴とするコンピュータシステム。
【請求項２０】
合成された通貨組み合わせをトレーダ間で取引する方法であって、
第１通貨および第３通貨を含む通貨組み合わせに関する商取引のためにコンピュータシステムに入力されたビッドおよびオファの注文と、第２通貨および第３通貨を含む通貨組み合わせに関する商取引のためにコンピュータシステムに入力されたビッドおよびオファの注文とから、第１通貨および第２通貨を含む通貨組み合わせに関する商取引のためにコンピュータシステムに入力されたビッドおよびオファの注文を合成するステップと、
共同実行注文の出合いを付け、実行するための手段であって、共同実行注文を構成するすべての関連注文を独立した取引として実行するか、あるいは共同実行注文を構成するすべての関連注文を中止するステップとを有し、
この方法は、合成された通貨組み合わせにおけるビッドまたはオファの注文を、第１通貨および第３通貨を含む通貨組み合わせと、第２通貨および第３通貨を含む通貨組み合わせのそれぞれにおける注文から構成される共同実行注文に変換するステップを有することを特徴とする方法。
【請求項２１】
請求項２０に記載の方法であって、
注文入力装置を用いて、２つまたはそれ以上の関連注文からなる共同実行注文をコンピュータシステムに入力するステップをさらに有することを特徴とする方法。